(57)【要約】【課題】緩衝性能が向上した情報保存装置用のダンパーを提供する。【解決手段】電子機器の内部に装着される情報保存装置に加えられる衝撃及び振動を緩和させるために、情報保存装置の両表面と電子機器の対向面との間に介在されるものであって、電子機器に接触する部分と、情報保存装置に接触する部分との平面上位置が相異なるように構成されたことを特徴とする情報保存装置用のダンパーである。前記ダンパーは、電子機器に対向する第１表面と、情報保存装置に対向する第２表面とを持つ平板状の本体部と、本体部の第１表面の所定位置に突設されて電子機器に接触する複数の第１突出部と、本体部の第２表面に突設されて情報保存装置に接触するものであり、複数の第１突出部と平面上で相異なる位置に配置される複数の第２突出部と、を備える。これにより、電子機器から情報保存装置に伝えられる外部衝撃や振動の伝達経路が長くなるので、ダンパーの緩衝性能が向上する。【選択図】図２
2006139904.tif 000002
【特許請求の範囲】
【請求項１】
電子機器の内部に装着される情報保存装置に加えられる衝撃及び振動を緩和させるために、前記情報保存装置の両表面と前記電子機器の対向面との間に介在される情報保存装置用のダンパーにおいて、
前記電子機器に接触する部分と、前記情報保存装置に接触する部分との平面上位置が相異なるように構成されたことを特徴とする情報保存装置用のダンパー。
【請求項２】
前記ダンパーは、
前記電子機器に対向する第１表面と、前記情報保存装置に対向する第２表面とを持つ平板状の本体部と、
前記本体部の第１表面の所定位置に突設されて前記電子機器に接触する複数の第１突出部と、
前記本体部の第２表面に突設されて前記情報保存装置に接触するものであり、前記複数の第１突出部と平面上で相異なる位置に配置される複数の第２突出部と、を備えることを特徴とする請求項１に記載の情報保存装置用のダンパー。
【請求項３】
前記第１突出部及び第２突出部は、半球状、円柱状及び角柱状のうちいずれか一つの形状に形成されたことを特徴とする請求項２に記載の情報保存装置用のダンパー。
【請求項４】
前記第１突出部と第２突出部のうちいずれか一方の突出部は、前記本体部のエッジ付近及び中心部位に配置され、他方の突出部は、前記本体部のエッジから中心側に所定間隔離れた部位に配置されたことを特徴とする請求項３に記載の情報保存装置用のダンパー。
【請求項５】
前記第１突出部及び第２突出部は、半円形、四角形及び菱形のうちいずれか一つの断面を持つ棒状に形成されたことを特徴とする請求項２に記載の情報保存装置用のダンパー。
【請求項６】
前記第１突出部と第２突出部のうちいずれか一方の突出部は、前記本体部のエッジに沿って、かつ中心を通過するように配置され、他方の突出部は、前記本体部のエッジと中心との間の位置に前記本体部のエッジと平行に、かつ互いに交差して配置されたことを特徴とする請求項５に記載の情報保存装置用のダンパー。
【請求項７】
前記ダンパーは、粘弾性物質からなることを特徴とする請求項１に記載の情報保存装置用のダンパー。
【発明の詳細な説明】
【技術分野】
【０００１】
本発明は、情報保存装置用のダンパーに係り、より詳細には、電子機器の内部に装着された情報保存装置に加えられる衝撃や振動をさらに効果的に緩和させうる形状を持つ情報保存装置用のダンパーに関する。
【背景技術】
【０００２】
情報保存装置は、磁気ディスクや光ディスクなどの記録媒体に／からデータを記録／再生する装置である。例えば、ＨＤＤ（ＨＤＤ：Ｈａｒｄ Ｄｉｓｋ Ｄｒｉｖｅ）においては、アクチュエータに搭載された読み出し／書き込みヘッドが、回転するディスクの記録面から所定高さ浮上した状態で所望の位置に移動しつつ、ディスクに／からデータを記録／再生する。このような情報保存装置は、コンピュータの補助記憶装置として主に利用されてきたが、最近では、技術の発展につれて小型化が可能になってＰＤＡ（Ｐｅｒｓｏｎａｌ Ｄｉｇｉｔａｌ Ａｓｓｉｓｔａｎｔｓ）、カムコーダ、ＭＰ３プレーヤー及び携帯電話などのモバイル電子機器にもその採用が増えつつある。
【０００３】
ところが、モバイル電子機器に小型化された情報保存装置が装着されるとき、このような情報保存装置は、モバイル電子機器の特性上、外部衝撃や振動に影響を受けやすい。もし、情報保存装置に衝撃や振動が加えられれば、情報保存装置内部の構成要素または記録媒体、例えば、ディスクに保存されたデータが損傷し、その場合、情報保存装置の性能が低下するという問題点が発生する。
【０００４】
したがって、このような問題点を防止するために、モバイル電子機器の内部に装着される情報保存装置には多様な緩衝構造が採用される。
【０００５】
図１は、電子機器の内部に装着される情報保存装置に採用された従来の緩衝構造の一例を概略的に図示した図面である。
【０００６】
図１を参照すれば、モバイル電子機器１０の内部には情報保存装置、例えば、ＨＤＤ ２０が装着され、この時、ＨＤＤ ２０の両表面とそれに対向する電子機器１０の内面との間に緩衝用のダンパー３０が介在される。前記ダンパー３０は、一般的に粘弾性物質からなっていて、電子機器１０を通じてＨＤＤ ２０に伝えられる外部衝撃や振動を吸収して緩和させる役割を果たす。したがって、電子機器１０に外部衝撃や振動が加えられるとしても、ＨＤＤ ２０に伝達される衝撃や振動はある程度緩和されうる。
【０００７】
ところが、前記従来の緩衝用のダンパー３０は、図１に示すように、一定の厚さを持つ薄板状になっており、その両表面が電子機器１０及びＨＤＤ ２０の表面にそれぞれ密着されるように設置される。
【０００８】
したがって、電子機器１０に加えられた外部衝撃や振動が、薄いダンパー３０を通じてＨＤＤ ２０に一直線に伝えられる。そのように、従来のダンパー３０によれば、衝撃や振動の伝達経路が非常に短くなるので、比較的大きい外部衝撃や振動が電子機器１０に加えられる場合には、ダンパー３０による緩衝効果を十分に得られないという問題点がある。
【発明の開示】
【発明が解決しようとする課題】
【０００９】
本発明は、前記のような従来技術の問題点を鑑みてなされたものであり、特に電子機器の内部に装着された情報保存装置に加えられる衝撃や振動をさらに効果的に緩和させうるように、その伝達経路を十分に長くできる形状を持つ情報保存装置用のダンパーを提供するところにその目的がある。
【課題を解決するための手段】
【００１０】
前記の技術的課題を達成するための本発明による情報保存装置用のダンパーは、電子機器の内部に装着される情報保存装置に加えられる衝撃及び振動を緩和させるために、前記情報保存装置の両表面と前記電子機器の対向面との間に介在されるものであって、前記電子機器に接触する部分と、前記情報保存装置に接触する部分との平面上位置が相異なるように構成されたことを特徴とする。
【００１１】
本発明において、前記ダンパーは、前記電子機器に対向する第１表面と、前記情報保存装置に対向する第２表面とを持つ平板状の本体部と、前記本体部の第１表面の所定位置に突設されて前記電子機器に接触する複数の第１突出部と、前記本体部の第２表面に突設されて前記情報保存装置に接触するものであり、前記複数の第１突出部と平面上で相異なる位置に配置される複数の第２突出部と、を備えることが望ましい。
【００１２】
本発明において、前記第１突出部及び第２突出部は、半球状、円柱状及び角柱状のうちいずれか一つの形状に形成される。
【００１３】
その場合、前記第１突出部と第２突出部のうちいずれか一方の突出部は、前記本体部のエッジ付近及び中心部位に配置され、他方の突出部は、前記本体部のエッジから中心側に所定間隔離れた部位に配置される。
【００１４】
本発明において、前記第１突出部及び第２突出部は、半円形、四角形及び菱形のうちいずれか一つの断面を持つ棒状に形成される。
【００１５】
その場合、前記第１突出部と第２突出部のうちいずれか一方の突出部は、前記本体部のエッジに沿って、かつ中心を通過するように配置され、他方の突出部は、前記本体部のエッジと中心との間の位置に前記本体部のエッジと平行に、かつ互いに交差して配置される。
【００１６】
本発明において、前記ダンパーは、粘弾性物質からなることが望ましい。
【発明の効果】
【００１７】
本発明による情報保存装置用のダンパーによれば、外部衝撃や振動の伝達経路が長くなる。したがって、ダンパーの緩衝性能が向上して電子機器の内部に装着された情報保存装置に加えられる衝撃や振動をさらに効果的に緩和できる。
【００１８】
そして、本発明によるダンパーは、同じ厚さの従来のダンパーに比べて材料が低減してコストダウンとなる。
【発明を実施するための最良の形態】
【００１９】
以下、添付された図面を参照して本発明による情報保存装置用のダンパーの望ましい実施形態を詳細に説明する。以下の図面で、同じ参照符号は同じ構成要素を示す。
【００２０】
図２は、電子機器と情報保存装置との間に介在された本発明の第１実施形態によるダンパーを示す断面図であり、図３は、図２に図示された本発明の第１実施形態によるダンパー及び情報保存装置を分解して示す斜視図である。
【００２１】
図２と図３とを共に参照すれば、ＰＤＡ、カムコーダ、ＭＰ３プレーヤー、携帯電話またはノート型パソコンのようなモバイル電子機器１００の内部には、記録媒体に／からデータを記録／再生する情報保存装置が装着される。このようなモバイル電子機器１００に装着される情報保存装置には多様な種類があるが、以下では、ＨＤＤ ２００を例として説明する。
【００２２】
前記ＨＤＤ ２００は、読み出し／書き込みヘッド２４４を使用して、データ記録媒体である磁気ディスク２３０に／からデータを記録／再生する装置である。このようなＨＤＤ ２００は、ベース部材２１１及びカバー部材２１２を備えており、前記ベース部材２１１には、前記ディスク２３０を回転させるためのスピンドルモータ２２０と、前記読み出し／書き込みヘッド２４４をディスク２３０上の所望の位置に移動させるためのアクチュエータ２４０とが設置される。前記カバー部材２１２は、ベース部材２１１の上部に結合されてディスク２３０及びアクチュエータ２４０を包んで保護する役割を果たす。
【００２３】
前記アクチュエータ２４０は、ＨＤＤ ２００のベース部材２１１に設置されたアクチュエータピボット２４１に回動自在に結合されたスイングアーム２４２と、このスイングアーム２４２の一側端部に設置されて前記ヘッド２４４をディスク２３０の表面側に付勢されるように支持するサスペンション２４３と、を持つ。そして、前記アクチュエータ２４０には、スイングアーム２４２を回転させるためのボイスコイルモータ（ＶＣＭ；Ｖｏｉｃｅ Ｃｏｉｌ Ｍｏｔｏｒ）２５０が備えられる。前記ＶＣＭ ２５０は、スイングアーム２４２の他側端部に結合されるＶＣＭコイル２５１と、ＶＣＭコイル２５１に対向してベース部材２１１上に設置されるマグネット２５２と、を備える。前記ＶＣＭ ２５０は、サーボ制御システムにより制御され、ＶＣＭコイル２５１に入力される電流とマグネット２５２により形成された磁場との相互作用により、フレミングの左手法則による方向にスイングアーム２４２を回転させる。すなわち、ＨＤＤ ２００の電源がオンになってディスク２３０が回転し始めれば、ＶＣＭ ２５０は、スイングアーム２４２を所定方向に回転させて、前記ヘッド２４４をディスク２３０のデータ記録面上に移動させる。このとき、前記ヘッド２４４は、回転するディスク２３０の表面から所定高さ浮上した状態で、ディスク２３０のデータ記録面に／からデータを記録／再生する。逆に、ＨＤＤ ２００の電源がオフになってディスク２３０の回転が停止すれば、ＶＣＭ ２５０は、スイングアーム２４２を逆方向に回転させて、前記ヘッド２４４をディスク２３０のデータ記録面から逸脱させる。
【００２４】
このように構成されたＨＤＤ ２００は、前述したようにモバイル電子機器１００の内部に装着される。このために、前記電子機器１００にはＨＤＤ ２００の両表面、すなわち、底面及び上面にそれぞれ対向する第１対向面１０１及び第２対向面１０２が設けられる。ここで、前記電子機器１００の第１対向面１０１及び第２対向面１０２は、電子機器の種類及び構造とＨＤＤ ２００の装着位置によって変わる。例えば、前記電子機器１００の第１対向面１０１及び第２対向面１０２は、電子機器１００の内部に設置された印刷回路基板の表面であるか、または、電子機器１００のケースの内面でありうる。
【００２５】
本発明による緩衝ダンパー３１０は、前記ＨＤＤ ２００の底面と前記電子機器１００の第１対向面１０１との間、及びＨＤＤ ２００の上面と電子機器１００の第２対向面１０２との間に介在されて、電子機器１００を通じてＨＤＤ ２００に伝えられる外部衝撃及び振動を吸収して緩和させる役割を果たす。このために、前記ダンパー３１０は、衝撃や振動の吸収性能の良好な粘弾性物質、例えば、所定の弾性及び伸縮性を持つゴムからなる。
【００２６】
そして、本発明によるダンパー３１０は、衝撃や振動の伝達経路を長くするために、前記電子機器１００の第１対向面１０１または第２対向面１０２に接触する部分と、前記ＨＤＤ ２００の底面または上面に接触する部分との平面上位置が相異なるように構成されたことを特徴とする。
【００２７】
具体的に、前記ダンパー３１０は、所定厚さを持つ平板状の本体部３１１を備える。前記本体部３１１は、前記電子機器１００の第１対向面１０１または第２対向面１０２に対向する第１表面３１２と、ＨＤＤ ２００の底面または上面に対向する第２表面３１３とを持つ。前記本体部３１１の第１表面３１２には、電子機器１００の第１表面１０１または第２表面１０２に接触する複数の第１突出部３１４が突設され、前記本体部３１１の第２表面３１３には、ＨＤＤ ２００の底面または上面に接触する複数の第２突出部３１５が突設される。
【００２８】
そして、前記本体部３１１の第１表面３１２及び第２表面３１３にそれぞれ形成された第１突出部３１４及び第２突出部３１５は、平面上で相異なる位置に配置される。例えば、前記第１突出部３１４は、前記本体部３１１の第１表面３１２のエッジ付近に沿って所定間隔をおいて配置され、また、第１表面３１２の中心部位にも配置されうる。そして、前記第２突出部３１５は、前記第１突出部３１４と重畳されないように、例えば、前記本体部３１１の第２表面３１３のエッジから中心側に所定間隔離れた部位に配置されうる。
【００２９】
一方、前記第１突出部３１４の配置形態と第２突出部３１５の配置形態とは逆になってもよく、また、そのそれぞれの機能を達成できる範囲内で多様に変形できる。
【００３０】
そして、前記第１突出部３１４及び第２突出部３１５は、図３に示すように、半球状を持つように形成できる。しかし、それに限定されるものではなく、多様な形状、例えば、下記の図４Ａ及び図４Ｂに図示されたような形状を持つこともある。
【００３１】
図４Ａ及び図４Ｂは、本発明の第１実施形態によるダンパーの変形例を示す部分斜視図である。
【００３２】
図４Ａ及び図４Ｂを参照すれば、本発明の第１実施形態によるダンパー３１０の本体部３１１の第１表面３１２及び第２表面３１３には、図４Ａに示すように、円柱状の第１突出部３１５′及び第２突出部３１４′が突設されてもよく、図４Ｂに示すように、角柱状の第１突出部３１５″及び第２突出部３１４″が突設されてもよい。
【００３３】
また図２を参照すれば、前記のような構成を持つ本発明によるダンパー３１０が電子機器１００とＨＤＤ ２００との間に配置されれば、電子機器１００に加えられる外部衝撃や振動の伝達経路が矢印で表示されたように長くなる。したがって、ダンパー３１０の緩衝性能が向上して電子機器１００の内部に装着されたＨＤＤ ２００、すなわち、情報保存装置に加えられる衝撃や振動をさらに効果的に緩和させうる。これについては、図７に図示されたテスト結果を参照して再び説明する。
【００３４】
したがって、外部からの衝撃や振動によりＨＤＤ ２００内部の構成要素、例えば読み出し／書き込みヘッド２４４及びディスク２３０のデータ記録面が相互間の衝突によって損傷したり、スピンドルモータ２２０の軸受が損傷したりするなどの問題点が解消できるので、ＨＤＤ ２００の性能及び信頼性が向上する。
【００３５】
そして、本発明によるダンパー３１０は、従来のダンパー（図１の３０）の厚さと同じ厚さを持つことができる。したがって、本発明によるダンパー３１０は、同じ厚さの従来のダンパーに比べて材料が低減してコストダウンとなる長所がある。この場合にも、本発明によるダンパー３１０は、後述するテスト結果から分かるように向上した緩衝性能を持つ。
【００３６】
図５は、本発明の第２実施形態によるダンパーを図示した斜視図であり、図６Ａ及び図６Ｂは、本発明の第２実施形態によるダンパーの変形例を示す部分斜視図である。本実施形態によるダンパーは、第１突出部と第２突出部との形状及び配置を除いては、前述した第１実施形態によるダンパーと同一であるので、以下では、それら間の差異点を中心に説明する。
【００３７】
図５を参照すれば、本発明の第２実施形態によるダンパー３２０も、前述した第１実施形態のように、ＨＤＤ ２００の両表面と電子機器１００の第１対向面１０１及び第２対向面１０２それぞれの間に介在され、電子機器１００の第１対向面１０１または第２対向面１０２に接触する部分と、ＨＤＤ ２００の両表面に接触する部分との平面上位置が相異なるように構成される。
【００３８】
具体的に、前記ダンパー３２０は、所定厚さを持つ平板状の本体部３２１を備え、前記電子機器１００に対向する前記本体部３２１の第１表面３２２には複数の第１突出部３２４が突設され、前記ＨＤＤ ２００に対向する前記本体部３２１の第２表面３２３には複数の第２突出部３２５が突設される。
【００３９】
本発明の第２実施形態において、前記第１突出部３２４及び第２突出部３２５は、半円形の断面を持つ棒状に形成される。
【００４０】
一方、本発明の第２実施形態によるダンパー３２０の本体部３２１の第１表面３２３及び第２表面３２３には、それぞれ図６Ａに図示されたような四角形の断面を持つ棒状の第１突出部３２４′及び第２突出部３２５′が形成されてもよく、図６Ｂに図示されたような菱形の断面を持つ棒状の第１突出部３２４″及び第２突出部３２５″が形成されてもよい。
【００４１】
再び図５を参照すれば、前記本体部３２１の第１表面３２２及び第２表面３２３にそれぞれ形成された第１突出部３２４及び第２突出部３２５は、平面上で相異なる位置に配置される。例えば、前記第１突出部３２４は、前記本体部３２１の第１表面３２２のエッジに沿って四角フレーム状に配置されてもよく、また第１表面３２２の中心を通過する十字状に配置されてもよい。そして、前記第２突出部３２５は、前記本体部３２１の第２表面３２３のエッジと中心との間の位置に、前記本体部３２１の第２表面３２３のエッジと平行に配置されてもよく、また互いに交差して配置されてもよい。
【００４２】
一方、前記第１突出部３２４の配置形態と第２突出部３２５の配置形態とは互いに変わってもよく、またそのそれぞれの機能を達成できる範囲内で多様に変形できる。
【００４３】
本発明の第２実施形態において、前記特徴及びそれによる効果は前述した第１実施形態と同一であるので、それについての詳細な説明は省略する。
【００４４】
図７は、図２に図示された本発明によるダンパーによる緩衝性能を図１に図示された従来のダンパーと比較してテストした結果を示すグラフである。このテストで、本発明によるダンパー及び従来のダンパーには、同じ厚さを持つゴムが使われた。そして、ＨＤＤが装着された電子機器には２００Ｇの加速度を持つ衝撃が１ｍｓ間加えられ、この時、ＨＤＤに伝達された衝撃の加速度を測定した。
【００４５】
図７のグラフを見れば、電子機器に約２００Ｇの加速度を持つ衝撃が１ｍｓ間加えられた場合に、本発明によるダンパーが備えられたＨＤＤには、約５０Ｇの加速度を持つ衝撃が伝えられた。しかし、従来のダンパーは、電子機器に加えられた衝撃をほとんど緩和されない。このように、本発明によるダンパーは、従来のダンパーに比べてはるかに向上した緩衝性能を持つということが分かる。
【００４６】
また、図７のグラフを見れば、本発明によるダンパーは、ＨＤＤに印加される加速度の持続時間（ｄｕｒａｔｉｏｎ ｔｉｍｅ）を従来のダンパーに比べてはるかに延長させるということが分かる。したがって、本発明によるダンパーによれば、ＨＤＤに加えられる加速度の周波数が低くなって、ＨＤＤに影響を及ぼす加振周波数範囲を最小化できる。
【００４７】
本発明は図面に図示された実施形態を参考して説明されたが、これは例示的なものに過ぎず、当業者ならばこれより多様な変形及び均等な他の実施形態が可能であるという点を理解できるであろう。例えば、前記発明によるダンパーは、ＨＤＤに適用されると図示されて説明されたが、これに限定されるものではなく、多様な種類の情報保存装置にも適用できる。また、ダンパーの両表面に形成された突出部の形状及び位置も、そのそれぞれの機能を達成できる範囲内で多様に変形できる。したがって、本発明の真の技術的保護範囲は、特許請求の範囲により定められねばならない。
【産業上の利用可能性】
【００４８】
本発明は、電子機器の内部に装着された情報保存装置に加えられる衝撃や振動をさらに効果的に緩和させるようにその伝達経路を十分に長くできる形状を持つ情報保存装置用のダンパーに利用できる。
【図面の簡単な説明】
【００４９】
【図１】電子機器の内部に装着される情報保存装置に採用された従来の緩衝構造の一例を概略的に示す図面である。
【図２】電子機器と情報保存装置との間に介在された本発明の一実施形態によるダンパーを示す断面図である。
【図３】図２に図示された本発明の第１実施形態によるダンパー及び情報保存装置を分解して示す斜視図である。
【図４Ａ】本発明の第１実施形態によるダンパーの変形例を示す部分斜視図である。
【図４Ｂ】本発明の第１実施形態によるダンパーの変形例を示す部分斜視図である。
【図５】本発明の第２実施形態によるダンパーを図示した斜視図である。
【図６Ａ】本発明の第２実施形態によるダンパーの変形例を示す部分斜視図である。
【図６Ｂ】本発明の第２実施形態によるダンパーの変形例を示す部分斜視図である。
【図７】本発明によるダンパーによる緩衝性能を従来のダンパーと比較してテストした結果を示すグラフである。
【符号の説明】
【００５０】
１００  電子機器
１０１  第１対向面
１０２  第２対向面
２００  ＨＤＤ
３１０  緩衝ダンパー
３１１  本体部
３１２  第１表面
３１３  第２表面
３１４  第１突出部
３１５  第２突出部
【図１】
2006139904.tif 000003
【図２】
2006139904.tif 000004
【図３】
2006139904.tif 000005
【図４Ａ】
2006139904.tif 000006
【図４Ｂ】
2006139904.tif 000007
【図５】
2006139904.tif 000008
【図６Ａ】
2006139904.tif 000009
【図６Ｂ】
2006139904.tif 000010
【図７】
2006139904.tif 000011